(57)【要約】  【課題】  本発明は、自覚症状（問診結果）と、自覚症状として現れていない客観データ（成分分析結果）とに基づいた被検者の栄養状況に関する情報や、サプリメントに関する情報などを提供するシステムを提供することを目的とする。  【解決手段】  上記課題は、成分情報入力手段(11)と、成分量情報記憶手段(12)と、問診情報入力手段(13)と、問診関連成分情報記憶手段(14)と、栄養素分析手段(15)と、出力手段(16)とを具備する栄養状況に関する情報や、サプリメントに関する情報などを提供するシステムなどにより解決される。  【選択図】  図１
2005202833.tif 000002
【特許請求の範囲】
【請求項１】
被検者の分析対象物の成分に関する情報をコンピュータに入力する成分情報入力手段と、
分析対象物に含まれる各成分の量に関する情報を記憶する成分量情報記憶手段と、
前記被検者の問診結果に関する情報をコンピュータに入力する問診情報入力手段と、
前記問診情報入力手段が入力した問診結果に対応する各成分に関する情報を記憶する問診関連成分情報記憶手段と、
前記成分情報入力手段が入力した被検者の分析対象物の成分に関する情報と、前記成分量情報記憶手段が記憶する各成分の量に関する情報と、前記問診情報入力手段が入力した問診結果に関する情報と、前記問診関連成分情報記憶手段が記憶する問診結果に対応する各成分に関する情報とに基づき、被検者の栄養状況を分析する栄養素分析手段と、
を含む
被検者の栄養状況に関する情報を提供する情報提供システム。
【請求項２】
前記栄養素分析手段は、
前記成分情報入力手段が入力した被検者の分析対象物の成分に関する情報と、前記成分量情報記憶手段が記憶する各成分の量に関する情報とに基づき、被検者の栄養状況を分析する分析結果を利用する栄養素分析手段と、
前記問診情報入力手段が入力した問診結果に関する情報と、前記問診関連成分情報記憶手段が記憶する問診結果に対応する各成分に関する情報とに基づき、被検者の栄養状況を分析する問診結果を利用する栄養素分析手段と、
前記分析結果を利用する栄養素分析手段が分析した被検者の栄養状況に関する情報と、前記問診結果を利用する栄養素分析手段が分析した被検者の栄養状況に関する情報とに基づいて被検者の栄養状況に関する情報を得る手段とを有する
請求項１に記載の情報提供システム。
【請求項３】
請求項１又は請求項２に記載の情報提供システムが提供した被検者の栄養状況に関する情報に基づいて、被検者にふさわしい栄養素を含むサプリメントに関する情報を提供するサプリメント情報提供システム。
【請求項４】
被検者の分析対象物の成分に関する情報をコンピュータに入力する成分情報入力手段と、
分析対象物に含まれる各成分の量に関する情報を記憶する成分量情報記憶手段と、
前記成分情報入力手段が入力した被検者の分析対象物の成分に関する情報と前記成分量情報記憶手段が記憶する各成分の量に関する情報とに基づき、被検者の栄養状況を分析する栄養素分析手段と、
サプリメントに関する情報を記憶するサプリメント情報記憶手段と、
前記栄養素分析手段が分析した被検者の栄養状況に関する情報と、前記サプリメント情報記憶手段が記憶するサプリメントに関する情報とから、被検者にふさわしいサプリメントの候補を選択するサプリメント選択手段と、
前記サプリメント選択手段が選択した被検者にふさわしいサプリメントの候補に関する情報を出力する出力手段と、
を含むサプリメント情報提供システム。
【請求項５】
被検者の分析対象物の成分に関する情報をコンピュータに入力する成分情報入力手段と、
分析対象物に含まれる各成分の量に関する情報を記憶する成分量情報記憶手段と、
前記被検者の問診結果に関する情報をコンピュータに入力する問診情報入力手段と、
前記問診情報入力手段が入力した問診結果に対応する各成分に関する情報を記憶する問診関連成分情報記憶手段と、
前記成分情報入力手段が入力した被検者の分析対象物の成分に関する情報と、前記成分量情報記憶手段が記憶する各成分の量に関する情報と、前記問診情報入力手段が入力した問診結果に関する情報と、前記問診関連成分情報記憶手段が記憶する問診結果に対応する各成分に関する情報とに基づき、被検者の栄養状況を分析する栄養素分析手段と、
サプリメントに関する情報を記憶するサプリメント情報記憶手段と、
前記栄養素分析手段が分析した被検者の栄養状況に関する情報と、前記サプリメント情報記憶手段が記憶するサプリメントに関する情報とから、被検者にふさわしいサプリメントの候補を選択するサプリメント選択手段と、
前記サプリメント選択手段が選択した被検者にふさわしいサプリメントの候補に関する情報を出力する出力手段と、
を含むサプリメント情報提供システム。
【請求項６】
前記分析対象物が、爪である請求項５に記載のサプリメント情報提供システム。
【請求項７】
請求項５に記載のサプリメント情報提供システムであって、
さらに、被検者に関する情報を入力する被検者情報入力手段と、
前記被検者情報入力手段が入力した被検者に関する情報を記憶する被検者情報記憶手段と、を含むサプリメント情報提供システム。
【発明の詳細な説明】
【技術分野】
【０００１】
本発明は、各個人の栄養状況に関する情報や、各個人にふさわしいサプリメントに関する情報などを供給するシステムに関する。より詳細には、本発明は、問診と爪分析などによって得られる情報に基づいて、各個人の栄養状態や摂取すべき栄養素を分析し、その分析結果に基づいて各個人にふさわしいサプリメントに関する情報などを提供するシステムに関する。
【背景技術】
【０００２】
日常生活において、バランスよく栄養を摂取することは容易でない。そこで、毎日の食生活で不足する栄養を補うものとして、サプリメント（栄養補助食品／保健機能食品）が知られている。サプリメントは、不足しがちな栄養素を簡単に摂取できるので、健康を維持するためにも、若さを維持するためにもとても有効である。さらにサプリメントは、生活習慣病の予防につながることが明らかとされてきた（たとえば、板倉弘重著「生活習慣病とサプリメント」−サプリメントの基礎知識−薬事日報社（2002年第1刷発行）第４章参照）。このような利便性と効能から、サプリメントは、多くの薬局・薬店をはじめ、コンビニエンスストアーなどにおいても販売されている。
【０００３】
しかしながら、各個人に適切なサプリメントは、サプリメントを摂取する者の身長、体重、性別、食生活、運動状況、既往症、妊娠中かどうか、授乳期かどうかなどによって変化する。したがって、各個人にふさわしいサプリメントを正しく把握することは、容易でないという問題がある。すなわち、需要者が自らの主観にしたがってサプリメントを選ぶのでは、必ずしも適切なサプリメントを選択できないという問題がある。また、十分に摂取できている栄養素を過剰に摂取してしまうという問題がある。さらに、許容上限摂取量（ＵＬ）を越えて、特定の成分を摂取してしまうおそれがある。
【０００４】
各個人に適切なサプリメントを提供するための方法として、個人ごとに不足する栄養素を不足している分だけ効率よく補給するための「個別サプリメント製造方法」が知られている（特許文献１（特開2002-324136号公報）参照）。この方法では、まず、被検者の自覚症状に基づいて、栄養素の過不足度を分析する。その分析結果を、被検者に連絡する。そして、被検者は分析結果に基づいて、自らが必要なサプリメントを判断し、購入を希望するサプリメントを注文する（同文献の請求項１、段落[0030]）。そして、注文情報に基づいて、個別にサプリメントパックを作成する。この方法では、上記のようにして被検者の判断により不足している栄養素を不足している分だけ供給する。
【０００５】
この方法は、被検者が栄養素の過不足に関する情報を得てから、サプリメントを注文するので、被検者によりふさわしいサプリメントを摂取できる。しかしながら、被検者は、栄養素の分析結果を与えられ、自らの判断でサプリメントを選択しなければならないという問題がある。すなわち、必要なサプリメントを選択するのは、被検者であり、判断を誤るおそれがあるという問題がある。さらには、この方法では、栄養素の過不足を被検者の自覚症状のみに基づいて分析する。したがって、分析結果に客観性がなく、かならずしも正確ではないという問題がある。また、被検者の自覚症状に基づいて、どのように計算して被検者の栄養状態を分析したか明確でないので、分析結果の信憑性に乏しいという問題がある。したがって、この方法では、適切なサプリメントを必ずしも選択できないという問題がある。
【０００６】
また、各個人に適切なサプリメントを提供するためのシステムとして、「各個人に適した栄養補助食品又は疾患予防食品の提供システム」が知られている（特許文献２（特開2003-223515号公報）参照）。このシステムは、被検者の遺伝子を診断し、生活習慣病に対する罹患リスクが高いと判定された被検者に対し、発症予防効果のあるサプリメントを提供するという、優れたシステムである。しかしながら、このシステムは、被検者が遺伝子診断を希望しない場合は、あくまで問診結果に基づきサプリメントを提供する。また、被検者の遺伝子診断は、生活習慣病等の疾患に関する罹患可能性を診断するものであって、被検者の栄養状態を診断するものではない。すなわち、被検者の栄養状態に関する情報は、問診結果によってのみ得られる点で、上記の方法と同様の問題がある。
【０００７】
また、各個人に不足している栄養素を簡易に分析するためのシステムとして、インターネットに表示された各種の質問に答えていくと、被検者に必要な栄養素と必要量を分析するウェブサイトが知られている（非特許文献１（http://www.ls-2.net/）参照）。このウェブサイトを用いれば、簡易に被検者の栄養状態を知ることができ便利である。しかしながら、問診結果からどのようにして被検者の栄養状態を分析したか明確でない。したがって、分析結果の信憑性に乏しいという問題がある。さらには、このシステムでは、栄養素の過不足を、自覚症状のみに基づいて分析する。したがって、得られた分析結果は、客観性がなく、かならずしも正確ではないという問題がある。
【０００８】
また、各個人の健康情報を提供するためのシステムとして、「個人の健康情報を活用した個別健康情報提供システム」が知られている（特許文献３（特開2002-7567号公報）参照）。このシステムでは、まずユーザが健康状態を入力する。ユーザが入力した健康状態に関する情報は、薬局などの各店舗の端末で表示される。各店舗にはカウンセラーが常駐しており、ユーザから送信された健康情報を分析する。そして、カウンセラーは、そのユーザ個人の健康情報を把握した上で、より適切なアドバイス等をユーザに提供するというものである。
【０００９】
この個別健康情報提供システムは、健康状態を分析しても、各ユーザにふさわしいサプリメントについて判断するものではない。また、カウンセラーがユーザから送信された健康情報を分析するので、判断に時間がかかるという問題がある。さらに、カウンセラーのみが判断するので、客観性に乏しく、カウンセラーによって判断結果が異なる可能性があるという問題がある。
【００１０】
【特許文献１】特開2002-324136号公報
【特許文献２】特開2003-223515号公報
【特許文献３】特開2002-7567号公報
【非特許文献１】株式会社エープライムのウェブサイト、「LIFE STYLE2」、「online」、「2003年12月21日検索」、インターネット＜URL:http://www.ls-2.net/＞
【発明の開示】
【発明が解決しようとする課題】
【００１１】
本発明は、自覚症状（問診結果）と、自覚症状として現れていない客観データ（成分分析結果）とに基づいた被検者の栄養状況に関する情報を提供するシステムを提供することを目的とする。
【００１２】
本発明は、不足している栄養素を適切に提供するためのサプリメント情報提供システムを提供することを目的とする。
【００１３】
本発明は、自覚症状として現れていない客観データに基づいて被検者の栄養状況を分析し、被検者に適切なサプリメントを提供するためのサプリメント供給システムを提供することを別の目的とする。
【００１４】
本発明は、自覚症状と、自覚症状として現れていない客観データに基づいて被検者の栄養状況を分析し、被検者に適切なサプリメントを提供するためのサプリメント供給システムを提供することを別の目的とする。
【００１５】
本発明は、被検者に不足している栄養素を提供するのみならず、有害要素などの排出を促すサプリメントを提供するためのサプリメント供給システムを提供することを別の目的とする。
【００１６】
本発明は、生活習慣病の予防に寄与するサプリメントを提供するためのサプリメント供給システムを提供することを別の目的とする。
【００１７】
本発明は、被検者が簡便かつ適量のサプリメントを摂取するためのサプリメント供給システムを提供することを別の目的とする。
【００１８】
本発明は、保管に適し、持ち運びが便利なサプリメントを供給するためのサプリメント供給システムを提供することを別の目的とする。
【課題を解決するための手段】
【００１９】
[１]  上記課題のうち少なくとも一つ以上を解決するため、本発明の情報提供システムは、成分情報入力手段と、成分量情報記憶手段と、問診情報入力手段と、問診関連成分情報記憶手段と、栄養素分析手段とを含む（図１参照）。また、任意要素として出力手段を含んでもよい。より具体的には、被検者の分析対象物に含まれる成分に関する情報をコンピュータに入力する成分情報入力手段と、分析対象物に含まれる各成分の量に関する情報を記憶する成分量情報記憶手段と、前記被検者の問診結果に関する情報をコンピュータに入力する問診情報入力手段と、前記問診情報入力手段によって入力された問診結果に対応する各成分に関する情報を記憶する問診関連成分情報記憶手段と、前記成分情報入力手段によって入力された被検者の分析対象物の成分に関する情報と、前記成分量情報記憶手段に記憶された各成分の量に関する情報と、前記問診情報入力手段が入力した問診結果に関する情報と、前記問診関連成分情報記憶手段が記憶する問診結果に対応する各成分に関する情報とに基づき、被検者の栄養状況を分析する栄養素分析手段とを含む被検者の栄養状況に関する情報を提供する情報提供システムである。
【００２０】
このシステムでは、成分情報入力手段が、被検者の分析対象物（爪など）に含まれる成分に関する情報（たとえば、カルシウムの含有量が○ppmなど）をコンピュータに入力する。一方、成分量情報記憶手段は、分析対象物に含まれる各成分の量（標準値の範囲、標準偏差、ランク分けした場合のランクごとの量、補給すべき量など）に関する情報を記憶している。一方、問診情報入力手段は、被検者の問診結果に関する情報をコンピュータに入力する。問診関連成分情報記憶手段は、前記問診情報入力手段が入力した問診結果に対応する各成分に関する情報を記憶している。栄養素分析手段は、成分情報入力手段が入力した被検者の分析対象物の成分に関する情報、成分量情報記憶手段が記憶する各成分の量に関する情報、問診情報入力手段が入力した問診結果に関する情報、問診関連成分情報記憶手段が記憶する問診結果に対応する各成分に関する情報とに基づき、被検者の栄養状況（各成分の多寡、摂取することが望ましい成分、およびそれらの量など）を分析する。
【００２１】
上記のとおり、このシステムでは、分析対象物の成分分析結果という科学的客観的データと、問診結果という自覚症状を含むデータとに基づいて被検者の栄養状況に関する情報を提供するので、自覚症状（問診結果）と、自覚症状として現れていない客観データ（成分分析結果）とに基づいた適切な栄養状況に関する情報を提供できる。
【００２２】
この栄養状況に関する情報にしたがって、提示された栄養素を含むサプリメントを調合すれば、被検者にふさわしいサプリメントを提供できることとなる。
【００２３】
[２]  本発明の情報提供システムの好ましい態様としては、前記栄養素分析手段は、
前記成分情報入力手段が入力した被検者の分析対象物の成分に関する情報と、前記成分量情報記憶手段が記憶する各成分の量に関する情報とに基づき、被検者の栄養状況を分析する分析結果を利用する栄養素分析手段と、前記問診情報入力手段が入力した問診結果に関する情報と、前記問診関連成分情報記憶手段が記憶する問診結果に対応する各成分に関する情報とに基づき、被検者の栄養状況を分析する問診結果を利用する栄養素分析手段と、前記分析結果を利用する栄養素分析手段が分析した被検者の栄養状況に関する情報と、前記問診結果を利用する栄養素分析手段が分析した被検者の栄養状況に関する情報とに基づいて被検者の栄養状況に関する情報を得る手段とを有するものが挙げられる。
【００２４】
この態様にかかる情報提供システムでは、問診結果に基づく情報と、分析対象物の成分分析結果に基づく情報とを別々に求め、両方の情報に基づいて被検者が摂取することが望ましい栄養素に関する情報を入手できる。たとえば、問診結果に基づいて遺伝病や生活習慣病の予防にふさわしい成分とそれらの量などを分析でき、さらに自覚症状に基づいて摂取すべき成分（ビタミン類など）とそれらの量を分析できる。また、これらに関する情報を提供できる。そして、実際の成分分析により、被検者のミネラルなどの栄養状況を把握でき、また、摂取すべき適切なミネラルなどの量に関する情報も提供できる。これらの情報をあわせることにより、自覚症状（問診結果）と、自覚症状として現れていない客観データ（成分分析結果）とに基づいた適切な栄養状況に関する情報を提供できる。
【００２５】
[３]  上記課題の少なくとも一つ以上を解決するため、本発明のサプリメント情報提供システムは、上記［１］、又は［２］に記載の情報提供システムを用いたサプリメント情報提供システムである。すなわち、このサプリメント情報提供システムは、上記の情報提供システムが提供した被検者の栄養状況に関する情報を得ることができるので、被検者にふさわしい栄養素（被検者に摂取することが望ましい栄養素）を含むサプリメントに関する情報を提供できる。
【００２６】
［４］  上記課題の少なくとも一つ以上を解決するため、本発明を具現化するサプリメント情報提供システムのひとつの態様は、成分情報入力手段と、成分量情報記憶手段と、栄養素分析手段と、サプリメント情報記憶手段と、サプリメント選択手段と、出力手段とを含む（図５参照）。このシステムは、爪分析などに基づいた客観的なデータをもとに、サプリメントに関する情報を提供するシステムである。
【００２７】
このシステムは、たとえば以下のように作用する。まず、成分情報入力手段が、被検者の分析対象物（爪など）の成分に関する情報（たとえば、カルシウムの含有量が○ppmなど）をコンピュータに入力する。一方、成分量情報記憶手段は、分析対象物に含まれる各成分の量（標準値の範囲、標準偏差、ランク分けした場合のランクごとの量、補給すべき量など）に関する情報を記憶している。栄養素分析手段は、成分情報入力手段が入力した被検者の分析対象物の成分に関する情報と、成分量情報記憶手段が記憶する各成分の量に関する情報とに基づき、被検者の栄養状況（各成分の多寡、摂取することが望ましい成分、およびそれらの量など）を分析する。
【００２８】
一方、サプリメント情報記憶手段は、サプリメントに関する情報（複数のサプリメントのそれぞれについて含まれる成分やその含有量の情報、優先順位、値段など）を記憶する。サプリメント選択手段は、栄養素分析手段が分析した被検者の栄養状況に関する情報と、サプリメント情報記憶手段が記憶するサプリメントに関する情報とから、被検者にふさわしいサプリメントの候補を選択する。出力手段は、前記サプリメント選択手段が選択した被検者にふさわしいサプリメントの候補に関する情報を出力する。
【００２９】
被検者は、このようにして自らの栄養状態に応じた適切なサプリメントに関する情報を入手できる。この情報は、客観的な科学データに基づくので、被検者にふさわしい栄養素（特にミネラル）に関する情報を提供できる。また、被検者の栄養状況を適切に把握できるので、サプリメントにより、有害ミネラルの排泄を促し、また過剰量の栄養素を摂取する事態を防止できる。
【００３０】
［５］上記課題の少なくとも一つ以上を解決するため、本発明を具現化するサプリメント情報提供システムのひとつの態様は、成分情報入力手段と、成分量情報記憶手段と、問診情報入力手段と、問診関連成分情報記憶手段と、栄養素分析手段と、サプリメント情報記憶手段と、サプリメント選択手段と、出力手段とを具備する（図６参照）。このシステムは、自覚症状（問診結果）と、自覚症状として現れていない客観データ（成分分析結果）とに基づいて、被検者にふさわしいサプリメントに関する情報を提供するためのシステムである。
【００３１】
このシステムでは、爪分析などの科学的客観的データと、問診結果という自覚症状を含むデータとに基づいて被検者の栄養状況に関する情報を提供するので、自覚症状（問診結果）と、自覚症状として現れていない客観データ（成分分析結果）とに基づいて、被検者にふさわしいサプリメントに関する情報を提供できる。
【００３２】
サプリメント情報提供システムの好ましい態様としては、被検者に関する情報を入力する被検者情報入力手段と、前記被検者情報入力手段が入力した被検者に関する情報を記憶する被検者情報記憶手段とを含むものが挙げられる。
【００３３】
このシステムでは、個人情報を記憶できるので、上記のシステムの利点のほか、各個人の情報を容易に引き出すことができるという利点もある。
【発明の効果】
【００３４】
本発明は、その態様に応じて、下記の効果のうち少なくともひとつ以上を達成できる。すなわち、本発明によれば、自覚症状（問診結果）と、自覚症状として現れていない客観データ（成分分析結果）とに基づいた被検者の栄養状況に関する情報を提供するシステムを提供できる。
【００３５】
本発明によれば、不足している栄養素を適切に提供するための新規サプリメント情報提供システムを提供できる。
【００３６】
本発明によれば、爪分析など生体細胞に含まれる栄養素の分析データに基づいてサプリメントを選択できるので、自覚症状として現れていない客観データに基づいて被検者の栄養状況を分析し、被検者に適切なサプリメントを提供するためのサプリメント供給システムを提供できる。
【００３７】
本発明によれば、問診結果と、爪分析など生体細胞に含まれる栄養素（特にミネラルなど）の分析データとに基づいてサプリメントを選択できるので、自覚症状と、自覚症状として現れていない客観データとに基づいて被検者の栄養状況を分析し、被検者に適切なサプリメントを提供するためのサプリメント供給システムを提供できる。
【００３８】
本発明によれば、有害物質が含有されているかどうかについても分析し、それらの排泄を促すサプリメントをも提供できるので、被検者に不足している栄養素を提供するのみならず、有害要素などの排出を促すサプリメントを提供するためのサプリメント供給システムを提供できる。
【００３９】
本発明によれば、被検者に適切なサプリメントを提供でき、サプリメントは生活習慣病の予防にも有効なので、生活習慣病の予防に寄与するサプリメントを適切に供給するためのサプリメント供給システムを提供できる。
【００４０】
本発明によれば、１回の服用分ごとにパッケージしたサプリメントを供給できるので、被検者が簡便かつ適量のサプリメントを摂取するためのサプリメント供給システムを提供できる。
【００４１】
本発明によれば、サプリメントが、アルミニウムなどの遮光性物質からなる袋に入っているサプリメントを供給できるので、保管に適し持ち運びが便利なサプリメントを供給するためのサプリメント供給システムを提供できる。
【発明を実施するための最良の形態】
【００４２】
本発明は、問診などの自覚症状データと爪分析などの科学的データとに基づいて、各個人の栄養状態や摂取することが望ましい栄養素を分析し、その分析結果に基づいて各個人にふさわしい情報（栄養状況に関する情報や、サプリメントに関する情報など）を提供するためのシステムなどに関する。以下、図面を参照しつつ本発明の実現例を説明する。
【００４３】
（１．栄養情報提供システム）
図１は、本発明に基づいた被検者の栄養状況に関する情報を提供するシステムの例を示すブロック図である。この例は、自覚症状（問診結果）と、自覚症状として現れていない客観データ（成分分析結果）とに基づいて、被検者の栄養状況に関する情報を提供するシステムの例である。図１に示されるように、このシステムは、成分情報入力手段(11)と、成分量情報記憶手段(12)と、問診情報入力手段(13)と、問診関連成分情報記憶手段(14)と、栄養素分析手段(15)と、出力手段(16)とを具備する。以下、このシステムの各要素について説明する。
【００４４】
成分情報入力手段(11)は、被検者の分析対象物（爪など）の成分に関する情報をコンピュータに入力するための手段である。より具体的な成分情報入力手段(11)としては、質量分析器などに連結されたコンピュータから分析結果をコンピュータに入力する手段や、分析結果を記憶した記憶媒体からコンピュータに分析結果に関する情報を入力する手段などが挙げられる。
【００４５】
成分量情報記憶手段(12)は、分析対象物に含まれる各成分の量に関する情報を記憶するための手段である。より具体的な成分量情報記憶手段(12)としては、コンピュータ上のデータベースが挙げられる。「分析対象物に含まれる各成分の量に関する情報」における、「各成分」としては、ミネラルなどの主要な生体構成物質が挙げられ、具体的には、カルシウム、リン、ナトリウム、カリウム、亜鉛、銅、セレン、クロム、マンガン、バナジウム、コバルト、モリブデンなどの必須ミネラル；アルミニウム、鉛、水銀、ヒ素、カドミウムなどの有害ミネラル；その他の質量分析器などの分析機器を用いて分析できる栄養素が挙げられる。
【００４６】
成分量情報記憶手段が記憶する「分析対象物に含まれる各成分の量に関する情報」としては、各成分の標準量に関する情報、偏差値情報、対応表（ランク分けした場合のランクごとの量、補給すべき栄養素の量などを含む）などが挙げられる。ここで対応表とは、分析された成分量とランク及びそれぞれのランクに応じた摂取すべき各成分の量との対応表が挙げられる。
【００４７】
問診情報入力手段(13)は、被検者の問診結果に関する情報をコンピュータに入力するための手段である。問診情報入力手段は、キーボードなどのポインティングデバイスからの情報をコンピュータに入力する手段であっても良いし、マークシートの問診をＯＭＲなどで読み取ったものをコンピュータに入力する手段であっても良い。また、問診情報入力手段は、問診がウェブサイト上やコンピュータ上で行われる場合は、そのようなサイトなどから問診結果をコンピュータに入力する手段であっても良い。
【００４８】
問診関連成分情報記憶手段(14)は、問診情報入力手段が入力した問診結果に対応する各成分に関する情報を記憶するための手段である。たとえば、問診で被検者が高血圧であることが明らかとなれば、ＡＣＥ阻害活性を有するペプチド（ラクトトリペプチド、サーデンペプチド、かつお節ペプチド、カゼインドデカペプチドなど）や、副交感神経を刺激して抹消動脈を拡張させる働きのある配糖体（杜仲葉配糖体など）を関連付けて記憶するものが挙げられる。
【００４９】
問診関連成分情報記憶手段における「問診」とは、性別、身長、体重、血液型、妊娠中かどうかなどの個人情報に関する問診；飽きっぽいか、集中力があるか、いらいらしやすいか、物忘れが激しいかなどの心理的情報に関する問診；顔がひきつるか、顔などにつやがあるか、肌のはりを維持したいか、にきびが出やすいかなどの肌に関する問診；もっとはりのある髪にしたいか、抜け毛が気になるか、ふけが良く出るかなどの髪に関する問診；爪が割れやすいか、爪がもろいか、爪に縦筋ができやすいかなどの爪に関する問診；目が疲れやすいか、ものもらいが良くできるか、目が充血しやすいかなどの目に関する問診；口内炎ができやすいか、口臭が気になるか歯が弱いか、耳鳴りがするかなどの口・耳・鼻に関する問診；手が震えるか、足がむくみやすいか、関節が痛いことがあるか、床ずれができやすいかなどの手足・関節に関する問診；胚の調子が気になるか、せきが良くでるか、肝臓が気になるか、すい臓が気になるか、貧血になりやすいか、動悸・息切れを起しやすいか、胃が痛いことがあるか、下痢になることが多いか、便秘気味であるかなどの内臓に関する問診；トイレが近いか、尿に濁りがあるか、尿の臭いが気になるかなどの泌尿器に関する問診；疲労感がたまりやすいか、ストレスがたまりやすいか、食欲がないか、眠れないことがあるか、冷え症か、体臭が気になるか、いつまでも若々しくいたいかなどの全身に関する問診；風邪をひきやすいか、喘息気味か、鼻炎・花粉症があるか、アレルギーがあるかなどの体質に関する問診；ダイエットしたいか、脂肪を燃焼させたいか、食欲を押さえたいか、食品からの糖分・脂肪分の吸収を押さえたいか、寝ている間にもダイエット効果を上げたいかなどのダイエットに関する問診；ストレスが多いか、インスタント食品を良く食べるか、脂っこいものを良く食べるか、甘いものを良く食べるか、生活が不規則か、スポーツをするか、タバコを吸うか、飲酒量が多いかなどのライフスタイルに関する問診；イライラを直したい、集中力を高めたい、風邪を防止したい、持久力を高めたい、疲労を残したくない、子供が欲しい、日焼けをしたくない、二日酔いを防ぎたい、傷を早く治したい、夏ばてを防止したいなどの要望に関する問診；生理痛がひどい、生理不順である、生理前にむくみがある、妊娠中である、妊娠中でつわりがひどい、産後間もない、授乳中の子がいる、更年期障害が気になる、更年期を迎え骨そしょう症や動脈硬化が気になるなどの婦人特有の問診；血圧が高めと診断された、脂肪肝と診断された、動脈硬化が進行しつつあると診断された、不整脈と診断された、前立腺肥大と診断された、骨密度が低めであると診断された、ガンの家系である、糖尿病の家系である、血液検査で、総タンパク・アルブミンが基準値より少なかった、血液検査で、GOT・GPTが基準値より多かった、血液検査でγ−ＧＴＰが基準値より高かった、血液検査で総コレステロール値が基準値より高かった、血液検査で中性脂肪が基準値より高かった、血液検査でＨＤＬ−Ｃが基準値より低かった、血液検査で血糖が基準値より高かった、血液検査で尿素窒素・クレアチニンが基準値より高かった、血液検査で血清尿酸が基準値より高かったなど検診データに関する問���；などのうちいずれかひとつ以上が挙げられる。
【００５０】
さらには、「問診」には、上記の「問診」のうち、気になるものから順に指摘させるものがあってもよい。たとえば、気になる順第１位が「肌のはりを維持したい」であり、第２位が「集中力を高めたい」のようなものが挙げられる。
【００５１】
問診関連成分情報記憶手段における「問診結果」とは、上記のような問診に対して、ＹＥＳ／ＮＯのような「２値回答であっても良いし；または、非常に当てはまる、当てはまる、少し当てはまる、当てはまらないのような多値回答であってもよい。また、身長、体重などの問診結果は、具体的な数値であってもよい。
【００５２】
問診関連成分情報記憶手段における「問診結果に対応する各成分に関する情報」とは、問診結果に対応して提供すべき栄養素に関する情報であり、さらに各栄養素の量に関する情報が含まれていても良い。また、ひとつの問診結果には、複数の栄養素が対応していても良い。より具体的な「問診結果に対応する各成分に関する情報」としては、問診で被検者が高血圧であることが明らかとなれば、ＡＣＥ阻害活性を有するペプチド（ラクトトリペプチド、サーデンペプチド、かつお節ペプチド、カゼインドデカペプチドなど）や、副交感神経を刺激して抹消動脈を拡張させる働きのある配糖体（杜仲葉配糖体など）などが挙げられる。
【００５３】
栄養素分析手段(15)は、成分情報入力手段が入力した被検者の分析対象物の成分に関する情報と、成分量情報記憶手段が記憶する各成分の量に関する情報と、問診情報入力手段が入力した問診結果に関する情報と、問診関連成分情報記憶手段が記憶する問診結果に対応する各成分に関する情報とに基づき、被検者の栄養状況を分析するための手段である。
【００５４】
栄養素分析手段としては、前記成分情報入力手段が入力した被検者の分析対象物の成分に関する情報と、前記成分量情報記憶手段が記憶する各成分の量に関する情報とに基づき、被検者の栄養状況を分析する分析結果を利用する栄養素分析手段と、前記問診情報入力手段が入力した問診結果に関する情報と、前記問診関連成分情報記憶手段が記憶する問診結果に対応する各成分に関する情報とに基づき、被検者の栄養状況を分析する問診結果を利用する栄養素分析手段と、前記分析結果を利用する栄養素分析手段が分析した被検者の栄養状況に関する情報と、前記問診結果を利用する栄養素分析手段が分析した被検者の栄養状況に関する情報とに基づいて被検者の栄養状況に関する情報を得る手段とを有するものが挙げられる。
【００５５】
分析結果を利用する栄養素分析手段は、爪分析などでは、主に必須ミネラルや、有害ミネラルに関する情報を得ることができるので、これらについて過不足を補う情報を出力する。また分析結果を利用する栄養素分析手段、好ましくは、有害ミネラルが標準値より多い場合は、その有害ミネラルの含有量に応じてその有害ミネラルを排泄させる栄養素に関する情報を出力する。必須ミネラル（栄養ミネラル）としては、たとえば、カルシウム、リン、ナトリウム、カリウム、マグネシウム、亜鉛、銅、セレン、クロム、マンガン、バナジウム、コバルト、モリブデンなどのいずれかひとつ以上が挙げられる。有害ミネラルとしては、たとえば、アルミニウム、鉛、水銀、ヒ素、カドミウムなどのいずれかひとつ以上が挙げられる。
【００５６】
問診結果を利用する栄養素分析手段は、問診結果に応じてそれにふさわしい栄養素を計算してそのような栄養素に関する情報を出力する。
【００５７】
このシステムの栄養素分析手段は、上記２種類の情報を単にあわせて栄養素に関する情報として分析しても良い。また、たとえば問診結果を利用した栄養素にもとづいてふさわしい栄養素を算出した後、分析結果を利用した栄養素の情報を用いてチェック（そのサプリメントは必要かどうかなど）してもよい。また、さらに、最終的なサプリメントの栄養素について、許容上限摂取量を越えていないか点検して、これを越えている場合は越えないように修正しても良い。
【００５８】
出力手段(16)は、上記の栄養素分析手段が分析した分析結果などの情報を出力するための手段である。出力手段としては、公知のモニターなどが挙げられる。
【００５９】
以下、このシステムの作用例を説明する。まず、爪などの分析対象物を採取する（分析対象採取工程）。この分析対象物としては、被検者由来のものであれば特に限定されない。分析対象物としては、爪、血液、髪の毛、体毛、唾液、皮膚、粘膜などのうち１つ又は２種以上が挙げられ、これらの中では爪、血液が好ましい。一般的には、爪分析では、過去約６ヶ月間までの栄養状態を知ることができ、さらに採取も容易だからであり、血液分析では、過去２日間までの栄養状態を知ることができるからである。
【００６０】
次に、分析対象採取工程で採取した分析対象物の成分を分析する（成分分析工程）。この際の分析方法としては、公知の分析方法を採用できる。たとえば、爪分析をする場合は、爪を硝酸などの酸に溶解させ、質量分析器などでその成分を分析すればよい。
【００６１】
成分情報入力手段が、成分分析工程で得られた各成分の含有量に関するデータを、コンピュータに入力する（データ入力工程）。このようなデータは、たとえば爪の成分としてカルシウム量が1.250ppmが含まれ、リンが0.5ppm含まれているといった情報である。
【００６２】
一方、被検者は問診に回答する。そして、問診情報入力手段が、被検者の問診結果に関する情報をコンピュータに入力する（問診結果入力工程）。なお、問診関連成分情報記憶手段は、前記問診情報入力手段が入力した問診結果に対応する各成分に関する情報を記憶している。
【００６３】
栄養素分析手段は、成分情報入力手段が入力した被検者の分析対象物の成分に関する情報と、成分量情報記憶手段が記憶する各成分の量に関する情報とから被検者にふさわしい栄養素の種類や、それぞれの量などを算出する。また、栄養素分析手段は、問診情報入力手段が入力した問診結果に関する情報と、問診関連成分情報記憶手段が記憶する問診結果に対応する各成分に関する情報とから被検者にふさわしい栄養素の種類や、それぞれの量などを算出する。栄養素分析手段は、これらの栄養素に関する情報に基づいて被検者の栄養状況（たとえば、被検者の栄養状況、各成分の多寡、摂取することが望ましい成分、およびそれらの量などのいずれか１つ以上）を分析する（栄養素分析工程）。この際に、被検者が摂取することが望ましい栄養素の量を算出してもよい。栄養素分析工程において、たとえば、カルシウムの量と標準範囲の量とを比較して成分量の多寡を分析してもよい。また、カルシウム量の偏差値からカルシウム量の多寡を算出してもよい。また、対応表を用いてランク付けすることにより被検者の栄養状況を分析してもよい。出力手段は、先述の情報を出力する（出力工程）。
【００６４】
以下、問診結果を利用した栄養状況の分析例を説明する。問診が、チェック項目Ａ、チェック項目Ｂ、及びチェック項目Ｃからなっていたとする。そして、被検者が、以下の表１に表されるように回答したとする。
【００６５】
表１
◎    ○    △    ×
チェック項目Ａ  ●    ○    ○    ○
チェック項目Ｂ  ○    ●    ○    ○
チェック項目Ｃ  ○    ○    ○    ●
【００６６】
なお、この表は、インターネットのウェブサイト上に設けられても良いし、紙などに記載されたものであっても良い。なお、上記の表において、◎、○、△、×はそれぞれ、非常に当てはまる（◎）、当てはまる（○）、少し当てはまる（△）、当てはまらない（×）を表しており、●はチェックした箇所、○はチェックしていない箇所を表す。
【００６７】
この表１から、「チェック項目Ａ：３点、チェック項目Ｂ：２点、及びチェック項目Ｃ：０点」のように分析される。そして、この情報は、コンピュータに入力される。なお、マーク箇所がコンピュータに入力され、それに基づいてコンピュータが各チェック項目について判断しても良い。コンピュータには、以下のようなチェック項目と関連した情報が記憶されている。
【００６８】
チェック項目Ａ
成分Ａ  ５
成分Ｂ  ０
成分Ｃ  １
成分Ｄ  ４
【００６９】
チェック項目Ｂ
成分Ａ  １
成分Ｂ  ０
成分Ｃ  ４
成分Ｄ  ５
【００７０】
チェック項目Ｃ
成分Ａ  ０
成分Ｂ  ５
成分Ｃ  ３
成分Ｄ  １
【００７１】
各チェック項目の問診結果と、チェック項目ごとの各成分のポイントをそれぞれ掛け合わすと下記のようになる。
【００７２】
成分Ａ  １７；成分Ｂ    ０；成分Ｃ  １１；成分Ｄ  ２２
【００７３】
そして、コンピュータには、各成分の推奨点表が記憶されている。
【００７４】
成分Ａ推奨点表
スコア：推奨点
０〜１    ０；
２〜３    １；
・・・（以下省略）
成分Ａのスコアは、17点なので、成分Ａの推奨点は、８点となる。
【００７５】
成分Ｃ推奨点表
スコア    推奨点
０〜２    ０
３〜５    １
６〜７    ２
８〜９    ３
10〜11    ４
12〜13    ５
14〜15    ６
16〜19    ７
20〜21    ８
22〜24    ９
【００７６】
上記の表から、成分Ｃのスコアが11なので、成分Ｃの推奨点は、４となる。
【００７７】
成分Ｄ推奨点表
スコア    推奨点
０〜３    ０
４〜６    １
７〜９    ２
10〜12    ３
・省略・
22〜24    ７
25〜27    ８
28〜30    ９
【００７８】
上記の表から、成分Ｄのスコアが２２なので、成分Ｄの推奨点は、7となる。
【００７９】
コンピュータは、推奨点の高い順番に成分を配置し直し出力する。このようにして各成分の推奨点が求まる。そして、以下の表２のように表示される
【００８０】
表２
成分    推奨スコア          含有食品        サフ゜リメント
成分Ａ  ☆☆☆☆☆☆☆☆☆  ○  △  ◇      Ａ１  Ａ２  Ａ３
成分Ｄ  ☆☆☆☆☆☆☆      ○  ◎  ▽      Ｄ１  Ｄ２  Ｄ３
成分Ｃ  ☆☆☆☆            △  ▽  ◇      Ｃ１  Ｃ２  Ｃ３
【００８１】
以上のようにして求めた出力の実際の例を図２〜図４に示す。図２は、各成分とその推奨スコアなどの出力例を表し、図３は、爪分析の結果についての出力例を表し、図４は、爪分析に関するコメントの例を表す。
【００８２】
なお、被検者が特に気になる問診を挙げていた場合、その問診に関するコメントが合わせて表示されるようにされていても良い。たとえば、問診「薄暗くなると急に物が見えにくくなる」が気になるとされていた場合、以下のようなコメントが表示されてもよい。
【００８３】
＜薄暗くなると急に物が見えにくくなる＞
薄暗くなると急に物が見えにくくなる場合は、夜盲症（鳥目）の疑いがあります。ビタミンＡの欠乏症によっても、このような症状が起こりますが、消化器疾患、網膜色素変性症（進行性）の可能性もあります。特に症状が進んでいると感じた場合は、速やかに眼科医にご相談ください。
【００８４】
なお、上記の被検者の栄養状況に関する情報に基づいて、被検者にふさわしい栄養素を含むサプリメントに関する情報を提供してもよい。さらに、このシステムでは、このようなサプリメントに関する情報に基づいて、サプリメントを製造するようにサプリメント製造装置に指示を出しても良い。
【００８５】
このようにして製造されるサプリメントとしては、好ましくはサプリメントを服用する分ごとに分けて包まれるものである。すなわち、このシステムでは、１回分ごとのサプリメントに関する情報を出力し、その情報にしたがって、サプリメントを製造する。
【００８６】
また、このサプリメントは、好ましくは、１回分ごとに透明な袋に包装されている。透明な袋であれば、内容物をみることができるからである。また、サプリメントは、好ましくは、１週間分、一か月分などまとめて、遮光性のある袋（たとえば、アルミニウムの袋）に封入される。これにより、サプリメントの保存性が高まることとなる。
【００８７】
（２．サプリメント情報提供システム）
図５は、本発明に基づいた情報を提供するシステムの例を示すブロック図である。図５に示されるように、この情報提供システムは、成分情報入力手段(21)と、成分量情報記憶手段(22)と、栄養素分析手段(23)と、サプリメント情報記憶手段(24)と、サプリメント選択手段(25)と、出力手段(26)とを含む。このシステムは、被検者の爪などを摂取し、その爪から被検者の栄養状況を把握して、その被検者にふさわしい情報を提供するためのシステムである。以下では、このシステムの構成要素について説明する。
【００８８】
成分情報入力手段(21)、および成分量情報記憶手段(22)は、先に説明したと同様である。
【００８９】
栄養素分析手段(23)は、成分情報入力手段が入力した被検者の分析対象物の成分に関する情報と、成分量情報記憶手段が記憶する各成分の量に関する情報とに基づいて被検者の栄養状況を分析するための手段である。「被検者の栄養状況」とは、被検者の栄養分析結果のみならず、被検者が摂取することが望ましい栄養に関する情報をも含んでもよい。具体的には、先に説明したと同様である。
【００９０】
サプリメント情報記憶手段(24)は、サプリメントに関する情報を記憶するための手段である。「サプリメントに関する情報」とは、各サプリメントに含まれる栄養素、および各栄養素の量に関する情報などを意味し、各サプリメントの価格情報、製造メーカーなどに関する情報が含まれていても良い。
【００９１】
サプリメント選択手段(25)は、栄養素分析手段が分析した被検者の栄養状況に関する情報と、サプリメント情報記憶手段が記憶するサプリメントに関する情報とから、被検者にふさわしいサプリメントの候補を選択するための手段である。
【００９２】
たとえば、「被検者の栄養状況に関する情報」が、成分Ａを一回あたり５ｍｇ摂取することが望ましいというものを含んでおり、サプリメントＡが１錠あたり成分Ａを２．５ｍｇ含有する場合、「被検者にふさわしいサプリメントの候補」としては「サプリメントＡを一回あたり２錠」が挙げられる。
【００９３】
出力手段は、情報を出力するための手段である。出力手段が出力する情報としては、「サプリメント選択手段が選択した被検者にふさわしいサプリメントの候補に関する情報」や、各栄養素の推奨スコア、各栄養素が含まれている食品群、サプリメント群、分析対象物の分析結果、分析対象物の分析結果についてのコメントなどが適宜含まれていても良い。
【００９４】
以下に、このシステムの作用を説明する。まず、爪などの分析対象物を採取する（分析対象採取工程）。次に、分析対象採取工程で採取した分析対象物の成分を分析する（成分分析工程）。成分情報入力手段が、成分分析工程で得られた各成分の含有量に関するデータを、コンピュータに入力する（データ入力工程）。これらの工程は、先に説明したと同様である。
【００９５】
栄養素分析手段は、成分情報入力手段が入力した被検者の分析対象物の成分に関する情報と、成分量情報記憶手段が記憶する各成分の量に関する情報とに基づき、被検者の栄養状況（各成分の多寡、摂取することが望ましい成分、およびそれらの量などのうちいずれかひとつ以上）を分析する（栄養素分析工程）。この際に、被検者が摂取することが望ましい栄養素の量を算出してもよい。栄養素分析工程において、たとえば、カルシウムの量と標準範囲の量とを比較して成分量の多寡を分析してもよい。また、カルシウム量の偏差値からカルシウム量の多寡を算出してもよい。また、対応表を用いてランク付けすることにより分析してもよい。
【００９６】
一方、サプリメント情報記憶手段は、サプリメントに関する情報（複数のサプリメントのそれぞれについて含まれる成分やその含有量の情報、優先順位、値段など）を記憶する。サプリメント選択手段は、栄養素分析手段が分析した被検者の栄養状況に関する情報と、サプリメント情報記憶手段が記憶するサプリメントに関する情報とから、被検者にふさわしいサプリメントの候補を選択する（サプリメント選択工程）。
【００９７】
出力手段は、前記サプリメント選択手段が選択した被検者にふさわしいサプリメントの候補に関する情報を出力する（出力工程）。
【００９８】
（３．サプリメント情報提供システム（２））
以下では、本発明のサプリメント情報提供システムの別の具現例について説明する。図６は、本発明に基づいたサプリメントに関する情報を提供するシステムの別の例を示すブロック図である。図６に示されるように、このシステムは、成分情報入力手段(31)と、成分量情報記憶手段(32)と、問診情報入力手段(33)と、問診関連成分情報記憶手段(34)と、栄養素分析手段(35)と、サプリメント情報記憶手段(36)と、サプリメント選択手段(37)と、出力手段(38)とを具備する。このシステムは、問診結果と、成分分析結果とに基づいて、被検者にふさわしいサプリメントに関する情報を提供するためのシステムである。このシステムの各要素および作用は、これまで説明したとおりである。
【００９９】
なお、上記の各システムは、好ましくは、被検者に関する情報を入力する被検者情報入力手段と、被検者情報入力手段が入力した被検者に関する情報を記憶する被検者情報記憶手段とを含む。「被検者に関する情報」としては、被検者の管理番号、住所、氏名、電話番号、ＦＡＸ番号、メールアドレス、血液型、身長、体重、最寄りの店舗情報などのうちいずれかひとつ以上が挙げられる。被検者情報記憶手段としては、データベースが挙げられる。このようなシステムでは、被検者ごとに情報を容易に管理でき、必要に応じて適宜情報を提供できる。
【産業上の利用可能性】
【０１００】
本発明は、自覚症状（問診結果）と、自覚症状として現れていない客観データ（成分分析結果）とに基づいた被検者の栄養状況に関する情報を提供するシステムを提供できるので、サプリメント供給業や、医療機関などにおいて好適に用いることができる。
【０１０１】
また、本発明は、自覚症状として現れていない客観データ（成分分析結果）、または自覚症状（問診結果）に基づいて被検者の栄養状況を把握し、被検者にふさわしいサプリメントに関する情報を提供するシステムを提供できるので、サプリメントを供給する薬局、薬店において利用できる。また、本発明は、ウェブサイトを用いたサプリメント情報提供システムに利用できる。また、本発明によれば、各個人にふさわしいサプリメントを製造できる。
【図面の簡単な説明】
【０１０２】
【図１】図１は、本発明に基づいた被検者の栄養状況に関する情報を提供するシステムの例を示すブロック図である。
【図２】図２は、各成分とその推奨スコアなどの出力例を表す。
【図３】図３は、爪分析の結果についての出力例を表す。
【図４】図４は、爪分析に関するコメントの例を表す。
【図５】図５は、本発明に基づいたサプリメント情報を提供するシステムの例を示すブロック図である。
【図６】図６は、本発明に基づいたサプリメント情報を提供するシステムの別の例を示すブロック図である。
【符号の説明】
【０１０３】
１１  成分情報入力手段
１２  成分量情報記憶手段
１３  問診情報入力手段
１４  問診関連成分情報記憶手段
１５  栄養素分析手段
１６  出力手段
２１  成分情報入力手段
２２  成分量情報記憶手段
２３  栄養素分析手段
２４  サプリメント情報記憶手段
２５  サプリメント選択手段
２６  出力手段
３１  成分情報入力手段
３２  成分量情報記憶手段
３３  問診情報入力手段
３４  問診関連成分情報記憶手段
３５  栄養素分析手段
３６  サプリメント情報記憶手段
３７  サプリメント選択手段
３８  出力手段
【図１】
2005202833.tif 000003
【図２】
2005202833.tif 000004
【図３】
2005202833.tif 000005
【図４】
2005202833.tif 000006
【図５】
2005202833.tif 000007
【図６】
2005202833.tif 000008